(57)【要約】【課題】安全性及び外観意匠性を向上させることができるカセットガスボンベ式ストーブを提供する。【解決手段】カセットガスボンベ式ストーブは、底部と、該底部の上側を覆い、上部にバーナーヘッドが設けられるカバーと、該カバー及び底部の間に形成され、前記バーナーヘッドにガスを供給するカセットガスボンベを収容する収容室とを備える。前記カバーの下縁部と前記底部の縁部との境界部分に、前記カバーの下縁部と前記底部の縁部とを上下に連結する連結部が連結解除可能に取り付けられている。【選択図】図１
2019078480.tif 000002
【特許請求の範囲】
【請求項１】
底部と、
該底部の上側を覆い、上部にバーナーヘッドが設けられるカバーと、
該カバー及び底部の間に形成され、前記バーナーヘッドにガスを供給するカセットガスボンベを収容する収容室と
を備え、
前記カバーの下縁部と前記底部の縁部との境界部分に、前記カバーの下縁部と前記底部の縁部とを上下に連結する連結部が連結解除可能に取り付けられている
カセットガスボンベ式ストーブ。
【請求項２】
前記底部は、
第一底板と、
該第一底板の上側に配置された第二底板と、
該第二底板と前記第一底板とを連結するスペーサと
を有し、
前記連結部は、前記第二底板と前記カバーとを連結する
請求項１に記載のカセットガスボンベ式ストーブ。
【請求項３】
前記バーナーヘッドの上側に配置された燃焼筒を備え、
前記燃焼筒と前記カバーとがヒンジを介して回動可能に連結されている
請求項１又は２に記載のカセットガスボンベ式ストーブ。
【請求項４】
前記バーナーヘッドの下側に遮熱板が設けられており、
前記遮熱板の直下に前記カセットガスボンベが配置され、
前記遮熱板及びカセットガスボンベの間に、断熱のための空間が設けられている
請求項１から３のいずれか一つに記載のカセットガスボンベ式ストーブ。
【請求項５】
火力の調整を行う操作部と、
該操作部が取り付けられ、前記底部から上方に突出した操作板と、
前記カバーに設けてあり、前記操作板が嵌め込まれる下側が開放された開口と
を備える請求項１から４のいずれか一つに記載のカセットガスボンベ式ストーブ。
【請求項６】
前記連結部を二つ備え、
二つの前記連結部は互いに対向し、前記操作板から離れている
請求項５に記載のカセットガスボンベ式ストーブ。
【発明の詳細な説明】
【技術分野】
【０００１】
本発明は、カセットガスボンベを使用するカセットガスボンベ式ストーブに関する。
【背景技術】
【０００２】
従来、小型のカセットガスボンベを使用するストーブが提案されている。前記ストーブは、屋外に持ち出して使用することができる。ストーブの内側にカセットガスボンベを収容する収容室が設けられており、ストーブの側面又は背面には、収容室の入口を塞ぐ蓋が設けられている。ユーザは蓋を取り外して、カセットガスボンベの取り出し又は装填を行う（例えば特許文献１、２参照）。
【先行技術文献】
【特許文献】
【０００３】
【特許文献１】実公昭５７−３１２０９号公報
【特許文献２】実開昭６３−１１６８０２号公報
【発明の概要】
【発明が解決しようとする課題】
【０００４】
しかし、蓋は外部から視認されやすく、外観意匠性が低下し、また幼児が誤って蓋を開けるおそれがある。
【０００５】
本発明は斯かる事情に鑑みてなされたものであり、安全性及び外観意匠性を向上させることができるカセットガスボンベ式ストーブを提供することを目的とする。
【課題を解決するための手段】
【０００６】
本発明に係るカセットガスボンベ式ストーブは、底部と、該底部の上側を覆い、上部にバーナーヘッドが設けられるカバーと、該カバー及び底部の間に形成され、前記バーナーヘッドにガスを供給するカセットガスボンベを収容する収容室とを備え、前記カバーの下縁部と前記底部の縁部との境界部分に、前記カバーの下縁部と前記底部の縁部とを上下に連結する連結部が連結解除可能に取り付けられている。
【０００７】
本発明においては、カバーの下縁部と底部の縁部との境界部分に連結部に設けられているので、外部から視認されにくい。またカセットガスボンベの取り出し又は装填を行う場合、連結部による連結を解除した後、カバーよりも上側部分を引き上げる必要があるが、カバーよりも上側部分を、幼児が引き上げることは難しい。
【０００８】
本発明に係るカセットガスボンベ式ストーブは、前記底部は、第一底板と、該第一底板の上側に配置された第二底板と、該第二底板と前記第一底板とを連結するスペーサとを有し、前記連結部は、前記第二底板と前記カバーとを連結する。
【０００９】
第二底板と第一底板とがスペーサによって連結されているので、両者の間に隙間が形成され、該隙間を空気が通流することができる。
【００１０】
本発明に係るカセットガスボンベ式ストーブは、前記バーナーヘッドの上側に配置された燃焼筒を備え、前記燃焼筒と前記カバーとがヒンジを介して回動可能に連結されている。
【００１１】
本発明においては、燃焼筒を回動させることによって、燃焼筒の内側の状態を確認し、燃焼筒の内側の点検・清掃を行うことができる。またバーナーヘッドを露出させて、バーナーヘッド及びその周囲の点検・清掃を行うことができる。
【００１２】
本発明に係るカセットガスボンベ式ストーブは、前記バーナーヘッドの下側に遮熱板が設けられており、前記遮熱板の直下に前記カセットガスボンベが配置され、前記遮熱板及びカセットガスボンベの間に、断熱のための空間が設けられている。
【００１３】
本発明においては、バーナーヘッドの下側に遮熱板を配置し、更に遮熱板の直下にカセットガスボンベが配置されているので、収容室の横に拡がることが防止され、カセットガスボンベ式ストーブの小型化を促進することができる。また遮熱板が設けられ、且つ遮熱板及びカセットガスボンベの間に、断熱のための空間が設けられているので、バーナーヘッドから放射される熱によって、カセットガスボンベが過剰に熱せられることを防止することができる。
【００１４】
本発明に係るカセットガスボンベ式ストーブは、火力の調整を行う操作部と、該操作部が取り付けられ、前記底部から上方に突出した操作板と、前記カバーに設けてあり、前記操作板が嵌め込まれる下側が開放された開口とを備える。
【００１５】
本発明においては、操作板が開口に嵌め込まれるので、操作部及び操作板は、カバーに干渉しない。
【００１６】
本発明に係るカセットガスボンベ式ストーブは、前記連結部を二つ備え、二つの前記連結部は互いに対向し、前記操作板から離れている。
【００１７】
本発明においては、二つの連結部が互いに対向するので、連結部が一つである場合に比べて、カバーは底部から外れ難く且つ安定し易い。
【発明の効果】
【００１８】
本発明に係るカセットガスボンベ式ストーブにあっては、カバーの下縁部と底部の縁部との境界部分に連結部に設けられているので、連結部は外部から視認されにくく、外観意匠性を向上させることができる。またカセットガスボンベの取り出し又は装填を行う場合、連結部による連結を解除した後、カバーよりも上側部分を引き上げる必要があるが、カバーよりも上側部分を、幼児が引き上げることは難しいので、安全性を向上させることができる。
【図面の簡単な説明】
【００１９】
【図１】カセットガスボンベ式ストーブを略示する斜視図である。
【図２】カセットガスボンベ式ストーブを略示する正面図である。
【図３】カセットガスボンベ式ストーブを略示する左側面図である。
【図４】カバーを底部から引き上げたカセットガスボンベ式ストーブを略示する分解斜視図である。
【図５】底部を略示する正面図である
【図６】底部を略示する平面図である。
【図７】バーナーカバーを取り外した底部を略示する平面図である。
【図８】バーナーカバーを取り外した底部を略示する斜視図である。
【図９】カセットガスボンベを装填した底部を略示する正面図である。
【図１０】カセットガスボンベを装填した底部を略示する平面図である。
【図１１】燃焼筒を回動させたカセットガスボンベ式ストーブを略示する斜視図である。
【発明を実施するための形態】
【００２０】
以下本発明を、実施の形態に係るカセットガスボンベ式ストーブを示す図面に基づいて説明する。図１は、カセットガスボンベ式ストーブを略示する斜視図、図２は、カセットガスボンベ式ストーブを略示する正面図、図３は、カセットガスボンベ式ストーブを略示する左側面図である。以下の説明では、図に示す上下左右前後を使用する。
【００２１】
カセットガスボンベ式ストーブは、平面視円形状をなす底部１と、該底部１を上から覆うドーム状のカバー２０とを備える。カバー２０の頂上部には開口２５（後述の図９参照）が設けられており、該開口２５の内側にバーナーヘッド１３が配置される（図９参照）。
【００２２】
カバー２０の下縁部と底部１の縁部との境界部分に二つの連結部２４、２４が設けられている。二つの連結部２４は左右にそれぞれ配置され、互いに対向している。即ち、二つの連結部２４は、底部１の周方向において１８０度逆の位置に配されている。連結部２４は、バックル２４ａ及びバックル受け２４ｂを備える。バックル２４ａは底部１に設けられており、バックル受け２４ｂはカバー２０に設けられている。バックル２４ａをバックル受け２４ｂに係止させることによって、カバー２０と底部１とは連結され、バックル２４ａ及びバックル受け２４ｂの係止を解除することによって、カバー２０及び底部１の連結は解除される。連結の解除によって、カバー２０を底部１から引き上げることができる（後述の図４参照）。
【００２３】
バーナーヘッド１３の上側には、上下方向を軸方向とした燃焼筒３０が設けられている。燃焼筒３０の前部及び後部それぞれに、燃焼状態を視認する為の覗き窓３１が設けられている。燃焼筒３０の周囲には安全柵３８が設けられている。燃焼筒３０の上部には取手３９が連結されている。燃焼筒３０の上端部には円盤形の上面部３４が形成されている。上面部３４の上面には円錐台状をなす隆起部３５が設けられている。
【００２４】
隆起部３５には、上下に貫通した複数の通気孔３６が設けられている。通気孔３６は、燃焼筒３０の周方向に並んでいる。隆起部３５には、上側に突出した複数の突部３７が設けられている。突部３７は燃焼筒３０の径方向に延びる。複数の突部３７は通気孔３６の間にそれぞれ配置され、平面視放射状に配置されている。突部３７によって、隆起部３５の強度が向上する。なお突部３７の上側に、やかん又は鍋等の調理器具を置き、突部３７を五徳として使用することもできる。
【００２５】
図４は、カバー２０を底部１から引き上げたカセットガスボンベ式ストーブを略示する分解斜視図、図５は、底部１を略示する正面図、図６は、底部１を略示する平面図である。底部１は、円形の薄い皿状をなす第一底板２と、該第一底板２の上側に同軸的に配置されており、円形の皿状をなす第二底板３と、該第二底板３及び第一底板２を連結する複数のスペーサ４とを備える。
【００２６】
第二底板３は、円盤３ａと、該円盤３ａの周縁部から上方に突出した円環部３ｂとを備える。円盤３ａ及び円環部３ｂの直径は第一底板２の直径に略等しい。複数のスペーサ４は第二底板３に沿って周方向に並設されており、第二底板３の周縁部と第一底板２の周縁部とを連結している。スペーサ４によって、第二底板３と第一底板２との間に隙間５が形成されており、隙間５には空気が通流することができる。円環部３ｂの左右それぞれに切欠が形成してあり、各切欠にバックル２４ａが配置されている。バックル２４ａは円盤３ａに固定されている。
【００２７】
円盤３ａの上面右部とカバー２０との間に、カセットガスボンベ５０（後述の図７、図８参照）を収容する収容室７が形成されている。円盤３ａの上面右部に、カセットガスボンベ５０を支持する支持台６が設けられている。支持台６は、下向きに突出するように湾曲し、前後方向を軸方向とした半筒状をなす。
【００２８】
円盤３ａの上面であって、支持台６の前側にガバナ１０が設けられている。ガバナ１０には、カセットガスボンベ５０のガス供給口が接続される。ガバナ１０は、例えば、カセットガスボンベ５０から供給されるガスの圧力及び供給量の調整を行い、また異常なガス圧が発生した場合に、ガスの供給を自動的に止めることができる。支持台６及びガバナ１０の左側に、カセットガスボンベ５０を前後にスライドさせる移動機構１１が設けられている。
【００２９】
円環部３ｂの前部から、平面視円弧状の操作板８が上方に突出している。操作板８は、底部１の周方向において、各連結部２４から略９０度位相がずれた位置に配されている。操作板８の前面に、前後方向を回転軸方向とした円柱状の操作部８ａが設けられている。操作部８ａはガバナ１０に、回転可能に接続されており、操作部８ａを回転させることによって、点火装置を駆動させて点火を行うことでき、また火力の調整及び消火を行うことができる。
【００３０】
操作板８には上下に移動可能なレバー８ｂが設けられている。レバー８ｂは移動機構１１に連結されている。レバー８ｂを下側に移動させることによって、移動機構１１はカセットガスボンベ５０のガス供給口をガバナ１０に接近させて、ガス供給口とガバナ１０とを接続させる。レバー８ｂを上側に移動させることによって、移動機構１１はカセットガスボンベ５０をガバナ１０から離れさせて、ガス供給口とガバナ１０との接続を解除する。
【００３１】
操作板８の右側には、カバー２０を案内するガイド板９が設けられている。ガイド板９は円環部３ｂの内側に配置され、上方に突出している。カバー２０を底部１に取り付ける場合、ガイド板９はカバー２０の内側において、カバー２０を案内する。
【００３２】
図４に示すように、カバー２０の前部に、操作板８に対応した開口２３が設けられている。開口２３の下側は開放されている。図１、図２に示すように、カバー２０が底部１に取り付けられた場合、開口２３の内側に操作板８が嵌め込まれる。円盤３ａの上面左部にバーナーカバー１２が設けられている。
【００３３】
図７は、バーナーカバー１２を取り外した底部１を略示する平面図、図８は、バーナーカバー１２を取り外した底部１を略示する斜視図である。図７及び図８に示すように、円盤３ａの左半分には、空気を取り入れる複数の空気取入孔３ｃが形成されている。空気取入孔３ｃは円盤３ａを上下に貫通する。空気取入孔３ｃを通して、隙間５と円盤３ａの上方空間とが連通される。
【００３４】
バーナーカバー１２は、円盤３ａの上面左部に配置された混合管１６を覆う。混合管１６は、空気取入孔３ｃから取り入れた空気と、カセットガスボンベ５０のガスとを混合させる。円盤３ａの中心部であって、支持台６の上側に、円盤状のバーナーヘッド１３が設けられている。バーナーヘッド１３の右半分の下面部に、遮熱板１４が設けられている。バーナーヘッド１３の左部から混合管１６は左方に突出している。図８に示すように、ガバナ１０と混合管１６の左端部とはガス供給管１５によって接続されている。混合管１６の左端部には、空気を取り入れる取り入れ口が形成されている。混合管１６は、空気とガスの混合物をバーナーヘッド１３に供給する。
【００３５】
図９は、カセットガスボンベ５０を装填した底部１を略示する正面図、図１０は、カセットガスボンベ５０を装填した底部１を略示する平面図である。カセットガスボンベ５０がガバナ１０に接続された場合、カセットガスボンベ５０内のガスは、ガバナ１０、ガス供給管１５及び混合管１６を介して、バーナーヘッド１３に供給され、燃焼する。
【００３６】
図９に示すように、カセットガスボンベ５０と遮熱板１４との間に、バーナーヘッド１３の厚み（上下寸法）と同程度の上下寸法を有する断熱の為の空間５１が設けられている。図１０に示すように、平面視において、カセットガスボンベ５０の前部左半分と、バーナーヘッド１３の右半分及び遮熱板１４とが重畳するように、カセットガスボンベ５０は収容室７に配置されている。即ち、カセットガスボンベ５０は遮熱板１４及びバーナーヘッド１３の右半分の直下に配置されている。
【００３７】
図１１は、燃焼筒３０を回動させたカセットガスボンベ式ストーブを略示する斜視図である。燃焼筒３０及びカバー２０は、第一接続部２１及び第二接続部３２を介して接続されている。第一接続部２１は円環状をなし、カバー２０の開口２５を囲んでいる。第二接続部３２は円環状をなし、燃焼筒３０の下端部に設けられている。第一接続部２１及び第二接続部３２の左部は、ヒンジ４０を介して回動可能に連結されている。
【００３８】
第二接続部３２の右側にロック部３３が設けられており、第一接続部２１の右側に被ロック部２２が設けられている。図１〜図３に示すように、ロック部３３を被ロック部２２にロックさせることによって、第一接続部２１及び第二接続部３２は固定され、燃焼筒３０は回動できなくなる。
【００３９】
図１１に示すように、ロック部３３及び被ロック部２２のロックを解除することによって、燃焼筒３０を回動させることができる。燃焼筒３０の回動によって、バーナーヘッド１３及び燃焼筒３０の内側を露出させることができる。
【００４０】
実施の形態に係るカセットガスボンベ式ストーブにあっては、カバー２０の下縁部と底部１の縁部との境界部分に連結部２４が設けられているので、連結部２４は外部から視認されにくく、外観意匠性を向上させることができる。またカセットガスボンベ５０の取り出し又は装填を行う場合、連結部２４による連結を解除した後、カバー２０及び燃焼筒３０を引き上げる必要があるが、カバー２０及び燃焼筒３０の重量を考慮すると、幼児がカバー２０及び燃焼筒３０を引き上げることは難しく、安全性を向上させることができる。
【００４１】
また第二底板３と第一底板２とがスペーサ４によって連結されているので、両者の間に隙間５が形成され、該隙間５を空気が通流することができる。隙間５を通して空気が通流するので、燃焼に必要な空気を、混合管１６に供給することができ、またカセットガスボンベ５０の過剰な加熱を抑制することができる。
【００４２】
また燃焼筒３０を回動させることによって、燃焼筒３０の内側の状態を確認し、燃焼筒３０の内側の点検・清掃を行うことができる。またバーナーヘッド１３を露出させて、バーナーヘッド１３及びその周囲の点検・清掃を行うことができる。またバーナーヘッド１３の露出によって、物体（例えば食品）を直接炙ることができる。また点火装置が故障した場合には、マッチ又はライターによって直接着火することができる。
【００４３】
またバーナーヘッド１３の下側に遮熱板１４を配置し、更に遮熱板１４の直下にカセットガスボンベ５０が配置されているので、カセットガスボンベ５０を収容する為に、収容室７が横に拡張されることが防止され、カセットガスボンベ式ストーブの小型化を促進することができる。また遮熱板１４が設けられ、且つ遮熱板１４及びカセットガスボンベ５０の間に、断熱の為の空間が設けられているので、バーナーヘッド１３から放射される熱によって、カセットガスボンベ５０が過剰に熱せられることを防止することができる。
【００４４】
また操作板８は開口２３に嵌め込まれるので、操作部８ａ及び操作板８はカバー２０に干渉しない。また開口２３に操作板８が嵌め込まれた形状は独特であり、外観意匠性を向上させることができる。
【００４５】
また二つの連結部２４が互いに対向するので、連結部２４が一つである場合に比べて、カバー２０は底部１から外れ難く且つ安定し易い。
【００４６】
上述のバックル２４ａ及びバックル受け２４ｂは連結部２４の一例に過ぎない。例えばバックル２４ａ及びバックル受け２４ｂに代えて、カバー２０及び底部１の一方に雄螺子を設け、他方に雌螺子を設けて、カバー２０及び底部１を螺子連結してもよい。またカバー２０及び底部１の一方に板ばねを設け、他方に板ばね受けを設けて、カバー２０及び底部１を嵌め込んで連結してもよい。
【００４７】
実施の形態において、第一底板２及び第二底板３は平面視円形をなすが、平面視四角形又は五角形等の多角形でもよい。
【００４８】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００４９】
１  底部
２  第一底板
３  第二底板
３ａ  円盤
３ｂ  円環部
４  スペーサ
５  隙間
７  収容室
８  操作板
８ａ  操作部
１３  バーナーヘッド
１４  遮熱板
２０  カバー
２３  開口
２４  連結部
３０  燃焼筒
４０  ヒンジ
５０  カセットガスボンベ
５１  空間
【図１】
2019078480.tif 000003
【図２】
2019078480.tif 000004
【図３】
2019078480.tif 000005
【図４】
2019078480.tif 000006
【図５】
2019078480.tif 000007
【図６】
2019078480.tif 000008
【図７】
2019078480.tif 000009
【図８】
2019078480.tif 000010
【図９】
2019078480.tif 000011
【図１０】
2019078480.tif 000012
【図１１】
2019078480.tif 000013